【手続補正書】
【提出日】平成21年6月18日(2009.6.18)
【手続補正１】
【補正対象書類名】特許請求の範囲
【補正対象項目名】全文
【補正方法】変更
【補正の内容】
【特許請求の範囲】
【請求項１】
液体を上記液体用の既知の分注システムにおいて分類するための方法であって、
ａ）選択される測定可能かつ物理的根拠のある仮想パラメータの変動を上記液体に典型的なデータ・セットとして検出するステップと、
ｂ）上記選択される仮想パラメータの上記典型的なデータ・セットを既知の液体の対応するデータ・セットと比較するステップと、
ｃ）上記液体を上記比較に基づいて分類するステップと、
を含み、
上記典型的なデータ・セットは、液体について特徴付けられ、上記典型的なデータ・セットは、吸引されるか又は分配される液体について働く全ての古典的な物理量の総和を表す、方法。
【請求項２】
上記典型的なデータ・セットは、液体について特徴づける曲線のコースであって、曲線のコースは、吸引されるか又は分配される液体について働く全ての古典的な物理量の総和を表し、上記曲線を特徴付けるコースは、既知の曲線を特徴付けるコースと比較され、上記液体は、上記比較に基づく液体クラスが割り当てられる、請求項１に記載の方法。
【請求項３】
少なくとも分注されるべき液体の吸引の間にその変動が検出される上記仮想パラメータは、
ａ）  ピペットの現行内圧、
ｂ）  システム液またはピペット内の分注されるべき液体のカレント・フロー、
ｃ）  分注されるべき液体がそこから吸引される容器の総重量、
ｄ）  分注されるべき液体の吸引中にポンプ・ピストンを動かすために使用されるＤＣモータの電力消費量、
ｅ）  上記ピペット内の気体室へと結合される音波のトーン・ピッチ、
ｆ）  上記ピペット内に位置決めされるシステム液または分注されるべき液体の界面位置、
ｇ）  マイクロポンプを使用して試料液を吸引する間の圧電セラミック層の電力消費量、
を含むグループから選択される、請求項１に記載の方法。
【請求項４】
流体室は測定室へ接続され、上記測定室の内圧は圧力トランスデューサを使用して監視され、上記流体室の少なくとも第１の部分は上記液体の試料へ流体接続されるに至る、液体を分類するための方法であって、圧力変動は上記流体室に位置づけられる本質的にコヒーレントな流体カラム内に生成され、これらの圧力変動は上記流体カラムに空気圧で接続される上記測定室において対応する圧力変動を引き起こし、上記圧力変動は上記圧力トランスデューサにより記録されかつ測定信号に変換され、これらの測定信号はコンピュータまたはマイクロプロセッサにより処理されて圧力曲線として再現され、上記圧力曲線の推移は既知の圧力曲線の推移と比較され、上記液体はこの比較を基礎として分類され、
上記圧力曲線は、上記液体について特徴付けられると共に、上記圧力曲線は、吸引されるか又は分配される液体について働く全ての古典的な物理量の総和を表し、
上記圧力曲線を特徴付けるコースは、既知の圧力曲線を特徴付けるコースと比較され、上記液体は、上記比較に基づく液体クラスが割り当てられる、方法。
【請求項５】
流体室の少なくとも第１の部分が上記液体の試料へ流体接続されるに至る、液体を分類する方法であって、
ａ）流量変動を上記流体室に位置づけられる本質的にコヒーレントな流体カラム内に生成し、
ｂ）上記流量変動を流量センサによって記録すると共に、記録された上記流量変動を測定信号に変換し、
ｃ）上記測定信号をコンピュータまたはマイクロプロセッサによって処理すると共に、処理された上記測定信号を流量曲線として再現し、
上記流量曲線は、上記液体について特徴付けられると共に、上記流量曲線は、吸引されるか又は分配される液体について働く全ての古典的な物理量の総和を表し、
上記流量曲線を特徴付けるコースは、既知の圧力曲線を特徴付けるコースと比較され、上記液体は、上記比較に基づく液体クラスが割り当てられる、方法。
【請求項６】
上記測定室は気体で満たされる、請求項４に記載の方法。
【請求項７】
上記流体室は液体試料を液体処理するための分注デバイスのピペット・チップを備え、これは容器に含まれる液体内へ浸漬されて上記流体カラム内に圧力変動を発生させる、請求項４に記載の方法。
【請求項８】
上記流体室は液体試料を液体処理するための分注デバイスのピペット・チップを備え、上記ピペット・チップにおいて上記流体カラム内に圧力変動を発生させる部分真空が生成される、請求項４に記載の方法。
【請求項９】
上記流体カラムは気体によって形成され、上記液体に対する突然の動きにより振動されることになる、請求項４に記載の方法。
【請求項１０】
上記流体カラムは、上記液体試料に対する突然の動きにより振動されることになるシステム液を含む、請求項４に記載の方法。
【請求項１１】
上記システム液及び上記液体試料は空隙により互いから分離される、請求項１０に記載の方法。
【請求項１２】
上記圧力曲線はディスプレイ画面に表示され、または印刷され、上記ディスプレイ画面に表示される、または印刷される既知の圧力曲線と視覚的に比較される、請求項４に記載の方法。
【請求項１３】
上記圧力曲線はアルゴリズムを基礎として分析され、既知の対応して分析された圧力曲線と数学的に比較される、請求項４に記載の方法。
【請求項１４】
上記圧力曲線は自動的に比較され、その推移が確立された許容範囲内にあれば、上記圧力曲線は既知の対応して分析された圧力曲線の液体クラスに帰属される、請求項１２または１３に記載された方法。
【請求項１５】
上記圧力曲線は自動的に比較され、その推移が確立された許容範囲の外にあれば、上記圧力曲線は新しい液体クラスに帰属されてオペレータに表示される、請求項１２または１３に記載された方法。
【請求項１６】
上記許容範囲は、上記圧力変動の検出及び上記圧力曲線の調製の前または後に確立される、請求項１４に記載の方法。
【請求項１７】
上記圧力曲線の液体クラスへの帰属は上記液体へ先に帰属された情報と比較される、請求項１５に記載の方法。
【請求項１８】
上記情報は、バーコード及びＲＦＩＤタグを含むグループから選択される機械読取り可能情報担体から読み取ることができる、請求項１７に記載の方法。
【請求項１９】
上記圧力曲線は、その帰属が上記液体に先に帰属された情報に一致する場合にのみ新しい液体クラスへ帰属される、請求項１７に記載の方法。
【請求項２０】
上記測定室は上記流体室内に位置づけられる、請求項４に記載の方法。
【請求項２１】
上記流体室は液体試料を液体処理するための分注デバイスのピペット・チップを備え、上記流体カラムは気体により形成される、請求項４に記載の方法。
【請求項２２】
上記流体室は液体試料を液体処理するための分注デバイスのピペット・チップを備え、上記流体カラムは空隙を有する、または空隙のないシステム液を含む、請求項４に記載の方法。
【請求項２３】
上記コンピュータまたはマイクロプロセッサはコンピュータ・プログラム・プロダクトを備え、上記圧力曲線は上記コンピュータ・プログラム・プロダクトを使用してアルゴリズムを基に分析され、既知の対応して分析された圧力曲線と数学的に比較される、請求項４に記載の方法。
【請求項２４】
上記測定室はフレキシブルなダイアフラムにより上記流体室から分離されてシールを形成する請求項４に記載の方法。
【請求項２５】
コンピュータ・プログラム・プロダクトがコンピュータまたはマイクロプロセッサにロードされることによって実行される方法であって、上記コンピュータ・プログラム・プロダクトがロードされた後に上記コンピュータまたはマイクロプロセッサが、選択される測定可能かつ物理的根拠のある仮想パラメータの変動を基礎とする測定曲線の分析を行えるようにする、液体を分類するためのコンピュータ・プログラム・プロダクトであって、上記液体に典型的なデータ・セットが検出され、上記選択される仮想パラメータの典型的なデータ・セットは既知の液体の対応するデータ・セットと比較され、上記液体は上記比較を基礎として分類される、請求項１に記載の方法。
【請求項２６】
上記アルゴリズムは上記圧力曲線を自動的に比較し、その推移が確立された許容範囲内にあれば、上記圧力曲線を既知の対応して分析された圧力曲線の液体クラスに帰属する、請求項２５に記載の方法。
【請求項２７】
上記アルゴリズムは上記圧力曲線を自動的に比較し、その推移が確立された許容範囲の外にあれば、上記圧力曲線を新しい液体クラスに帰属しかつこれをオペレータに表示する、請求項２５に記載の方法。
【請求項２８】
上記圧力曲線の液体クラスへの帰属は、上記液体へ先に帰属された情報と比較される、請求項２６または２７に記載された方法。